(57)【要約】      （修正有）【課題】布団の機能を付加した布団カバー及び掛け布団カバーを提供する。【解決手段】布団カバーＣは、布団３を収納する布団カバーＣであって、この布団カバーＣは、布団３を出し入れする開口部を備え、布団カバーＣの一方側の略全体に亘って羽毛を収納した羽毛層１が内在され、布団カバーＣの他方側の略全体に亘って樹脂繊維を編み上げた三次元構造体を収納した樹脂繊維層２が内在され、羽毛層１と樹脂繊維層２との間に布団３が位置するものである。【選択図】図２
0003208977.tif 000002
【実用新案登録請求の範囲】
【請求項１】
布団を収納する布団カバーであって、
この布団カバーは、布団を出し入れする開口部を備え、
前記布団カバーの一方側の略全体に亘って羽毛を収納した羽毛層が内在され、
前記布団カバーの他方側の略全体に亘って樹脂繊維を編み上げた三次元構造体を収納した樹脂繊維層が内在され、
前記羽毛層と前記樹脂繊維層との間に前記布団が位置する
ことを特徴とする布団カバー。
【請求項２】
布団を収納する布団カバーであって、
この布団カバーは、布団を出し入れする開口部を備え、
少なくとも、前記布団カバーの一方側の略全体に亘って羽毛を収納した羽毛層が内在され、
前記羽毛層と前記布団が隣接している
ことを特徴とする布団カバー。
【請求項３】
布団を収納する布団カバーであって、
この布団カバーは、布団を出し入れする開口部を備え、
少なくとも、前記布団カバーの一方側の略全体に亘って樹脂繊維を編み上げた三次元構造体を収納した樹脂繊維層が内在され、
前記樹脂繊維層と前記布団が隣接している
ことを特徴とする布団カバー。
【請求項４】
布団は、掛け布団、敷き布団、座布団の内、何れか一つである
ことを特徴とする請求項１〜３のいずれかに記載の布団カバー。
記載の布団カバー。
【請求項５】
布団は、最上層の表面に多数の突起を備え、最下層の裏面は平坦面であるウレタンフォームを用いたマットレスであり、
夏場には、体が当接する部位に近い順に、樹脂繊維層、前記突起を上とした前記マットレス、羽毛層、
冬場には、体が当接する部位に近い順に、前記羽毛層、前記突起を上とした前記マットレス、前記樹脂繊維になるように開口部を介して前記マットレスの位置を変える
ことを特徴とする請求項１記載の布団カバー。
【請求項６】
布団又は毛布を収納する掛け布団カバーであって、
この掛け布団カバーは、前記布団又は前記毛布を出し入れする開口部を備え、
前記布団カバーの一方側の略全体に亘って羽毛を収納した第１の羽毛層が内在され、
前記布団カバーの他方側の略全体に亘って羽毛を収納した第２の羽毛層が内在され、
前記第１の羽毛層と前記第２の羽毛層との間に前記布団又は前記毛布を前記開口部を介して出し入れ自在にする
ことを特徴とする掛け布団カバー。
【考案の詳細な説明】
【技術分野】
【０００１】
本考案は、掛け布団カバーに係り、特に、機能を付加した布団カバー及び掛け布団カバーに関する。
【背景技術】
【０００２】
布団が汚れないように、布団を覆う布団カバーがある（特許文献１参照）。
【先行技術文献】
【特許文献】
【０００３】
【特許文献１】特許第３４７７６４７号公報
【考案の概要】
【考案が解決しようとする課題】
【０００４】
しかしながら、上記布団カバーは、布団が汚れないようにするだけで、内在する布団の機能を改善するものではない。
【０００５】
本考案は、上記の問題点を考慮してなされたもので、内在する布団等に新たな機能を付加した布団カバー及び掛け布団カバーを提供することを目的とする。
【課題を解決するための手段】
【０００６】
請求項１記載の布団カバーは、布団を収納する布団カバーであって、この布団カバーは、布団を出し入れする開口部を備え、前記布団カバーの一方側の略全体に亘って羽毛を収納した羽毛層が内在され、前記布団カバーの他方側の略全体に亘って樹脂繊維を編み上げた三次元構造体を収納した樹脂繊維層が内在され、前記羽毛層と前記樹脂繊維層との間に前記布団が位置するものである。
【０００７】
また、請求項２記載の布団カバーは、布団を収納する布団カバーであって、この布団カバーは、布団を出し入れする開口部を備え、少なくとも、前記布団カバーの一方側の略全体に亘って羽毛を収納した羽毛層が内在され、前記羽毛層と前記布団が隣接しているものである。
【０００８】
また、請求項３記載の布団カバーは、布団を収納する布団カバーであって、この布団カバーは、布団を出し入れする開口部を備え、少なくとも、前記布団カバーの一方側の略全体に亘って樹脂繊維を編み上げた三次元構造体を収納した樹脂繊維層が内在され、前記樹脂繊維層と前記布団が隣接しているものである。
【０００９】
また、請求項４記載の布団カバーは、請求項１〜３のいずれかに記載の布団カバーにおいて、布団は、掛け布団、敷き布団、座布団の内、何れか一つである。
【００１０】
また、請求項５記載の布団カバーは、請求項１記載の布団カバーにおいて、布団は、最上層の表面に多数の突起を備え、最下層の裏面は平坦面であるウレタンフォームを用いたマットレスであり、夏場には、体が当接する部位に近い順に、樹脂繊維層、前記突起を上とした前記マットレス、羽毛層、冬場には、体が当接する部位に近い順に、前記羽毛層、前記突起を上とした前記マットレス、前記樹脂繊維になるように開口部を介して前記マットレスの位置を変えるものである。
【００１１】
また、請求項６記載の掛け布団カバーは、布団又は毛布を収納する掛け布団カバーであって、この掛け布団カバーは、前記布団又は前記毛布を出し入れする開口部を備え、前記布団カバーの一方側の略全体に亘って羽毛を収納した第１の羽毛層が内在され、前記布団カバーの他方側の略全体に亘って羽毛を収納した第２の羽毛層が内在され、前記第１の羽毛層と前記第２の羽毛層との間に前記布団又は前記毛布を前記開口部を介して出し入れ自在にするものである。
【考案の効果】
【００１２】
請求項１記載の布団カバーによれば、布団カバーの一方側には、羽毛を収納した羽毛層が内在されているため、寒い冬場は、羽毛を収納した羽毛層が内在されている布団カバーの一方側に体を当接して使用でき、暑い夏場は、樹脂繊維を編み上げた三次元構造体を収納した樹脂繊維層が内在されている布団カバーの他方側に体を当接して使用でき、つまり、布団カバーに布団の機能（保温機能と放湿機能と保冷機能）を付加して、機能性に富んだ布団を提供することができる。
【００１３】
また、請求項２記載の布団カバーによれば、少なくとも、前記布団カバーの一方側の略全体に亘って羽毛を収納した羽毛層が内在され、前記羽毛層と前記布団が隣接しているため、寒い冬場は、羽毛を収納した羽毛層が内在されている布団カバーの一方側に体を当接して使用でき、つまり、布団カバーに布団の機能（保温機能と放湿機能）を付加して、機能性に富んだ布団を提供することができる。
【００１４】
また、請求項３記載の布団カバーによれば、少なくとも、布団カバーの一方側の略全体に亘って樹脂繊維を編み上げた三次元構造体を収納した樹脂繊維層が内在され、前記樹脂繊維層と前記布団が隣接しているため、暑い夏場は、樹脂繊維を編み上げた三次元構造体を収納した樹脂繊維層が内在され、前記樹脂繊維層と前記布団が隣接している布団カバーの一方側に体を当接して使用でき、つまり、布団カバーに布団の機能（保冷機能と放湿機能）を付加して、機能性に富んだ布団を提供することができる。
【００１５】
また、請求項５記載の布団カバーによれば、上述した請求項１記載の考案の効果に加え、両面に突起を備えた特殊なマットレスを使用しなくても、夏場には、体が当接する部位に近い順に、樹脂繊維層、前記突起を上とした前記マットレス、羽毛層、冬場には、体が当接する部位に近い順に、前記羽毛層、前記突起を上とした前記マットレス、前記樹脂繊維になるように開口部を介して前記マットレスの位置を変えるため、最上層の表面に多数の突起を備え、最下層の裏面は平坦面であるウレタンフォームを用いた通常のマットレスを使用して対応することができる。
【００１６】
また、請求項６記載の掛け布団カバーによれば、第１の羽毛層と第２の羽毛層との間に布団又は毛布を開口部を介して出し入れ自在に使用でき、つまり、掛け布団カバーに掛け布団の機能（暑さ調整）を付加して、機能性に富んだ掛け布団を提供することができる。
【図面の簡単な説明】
【００１７】
【図１】図１は、本考案の一実施例の布団カバーの概略的斜視図である。
【図２】図２は、図１の概略的断面図である。
【図３】図３は、図２の樹脂繊維層を形成する樹脂繊維を編み上げた三次元構造体の写真である。
【考案を実施するための形態】
【００１８】
本考案の一実施例の布団カバー及び掛け布団カバーを図１乃至図３を参照して説明する。
（実施例１）
図１に示すＣは布団を収納する布団カバーで、布団カバーＣは，布団を出し入れする開口部を備えている。
この開口部は、ファスナーＦにより開閉できるようになっている。布団カバーＣの一方側の略全体に亘って羽毛を収納した羽毛層１が内在され、布団カバーＣの他方側の略全体に亘って樹脂繊維を編み上げた三次元構造体（樹脂繊維を編み上げた三次元構造体は、例えば、市販されている商品名エアーウイーブである。）を収納した樹脂繊維層２が内在され、羽毛層１と樹脂繊維層２との間に布団３が位置するようになっている。
【００１９】
上述した布団カバーＣによれば、布団カバーＣの一方側には、羽毛を収納した羽毛層１が内在されているため、寒い冬場は、羽毛を収納した羽毛層１が内在されている布団カバーＣの一方側に体を当接して使用でき、暑い夏場は、樹脂繊維を編み上げた三次元構造体を収納した樹脂繊維層２が内在されている布団カバーＣの他方側に体を当接して使用でき、つまり、布団カバーＣに布団の機能（保温機能と放湿機能と保冷機能）を付加して、機能性に富んだ布団を提供することができる。
【００２０】
（実施例２）
なお、上述した図１乃至図３記載の布団カバーＣは、羽毛層１、布団３、樹脂繊維層２の３層構造としたが、場合により、樹脂繊維層２を省略しても良い。
この場合、図示しないが、布団３を収納する布団カバーＣは、布団２を出し入れする開口部を備え、少なくとも、布団カバーＣの一方側の略全体に亘って羽毛を収納した羽毛層１が内在され、羽毛層１と布団３が隣接している。
この布団カバーＣによれば、少なくとも、布団カバーＣの一方側の略全体に亘って羽毛を収納した羽毛層１が内在され、羽毛層１と布団３が隣接しているため、寒い冬場は、羽毛を収納した羽毛層１が内在されている布団カバーＣの一方側に体を当接して使用でき、つまり、布団カバーＣに布団の機能（保温機能と放湿機能）を付加して、機能性に富んだ布団を提供することができる。
【００２１】
（実施例３）
また、上述した図１乃至図３記載の布団カバーＣは、羽毛層１、布団３、樹脂繊維層２の３層構造としたが、場合により、羽毛層１を省略しても良い。
この場合、図示しないが、布団を収納する布団カバーＣは、布団３を出し入れする開口部を備え、 少なくとも、布団カバーＣの一方側の略全体に亘って樹脂繊維を編み上げた三次元構造体を収納した樹脂繊維層２が内在され、樹脂繊維層２と布団３が隣接している。
この布団カバーＣによれば、少なくとも、布団カバーの一方側の略全体に亘って樹脂繊維を編み上げた三次元構造体を収納した樹脂繊維層が内在され、前記樹脂繊維層と前記布団が隣接しているため、暑い夏場は、樹脂繊維を編み上げた三次元構造体を収納した樹脂繊維層が内在され、前記樹脂繊維層と前記布団が隣接している布団カバーの一方側に体を当接して使用でき、つまり、布団カバーに布団の機能（保冷機能と放湿機能）を付加して、機能性に富んだ布団を提供することができる。
【００２２】
上述した実施例１〜実施例３に挙げた布団は、掛け布団、敷き布団、座布団の内、何れか一つである。
【００２３】
（実施例４）
また、上述した実施例１〜実施例３に挙げた布団が、図示しないが、最上層の表面に多数の突起を備え、最下層の裏面は平坦面であるウレタンフォームを用いたマットレスの場合、夏場には、体が当接する部位に近い順に、樹脂繊維層２、前記突起を上とした前記マットレス３、羽毛層１、冬場には、体が当接する部位に近い順に、羽毛層１、前記突起を上とした前記マットレス３、樹脂繊維層２になるように開口部を介してマットレス３の位置を変えるようにする。
この布団カバーＣによれば、両面に突起を備えた特殊なマットレスを使用しなくても、夏場には、体が当接する部位に近い順に、樹脂繊維層２、前記突起を上とした前記マットレス３、羽毛層１、冬場には、体が当接する部位に近い順に、羽毛層１、前記突起を上とした前記マットレス３、樹脂繊維層２になるように開口部を介してマットレス３の位置を変えるため、最上層の表面に多数の突起を備え、最下層の裏面は平坦面であるウレタンフォームを用いた通常のマットレス３を使用して対応することができる。
【００２４】
（実施例５）
なお、上述した図１乃至図３記載の布団カバーＣは、羽毛層１、布団３、樹脂繊維層２の３層構造としたが、場合により、樹脂繊維層２を羽毛層に変えるようにしても良い。
この場合、布団又は毛布を収納する掛け布団カバーであって、この掛け布団カバーは、前記布団又は前記毛布を出し入れする開口部を備え、前記布団カバーの一方側の略全体に亘って羽毛を収納した第１の羽毛層が内在され、前記布団カバーの他方側の略全体に亘って羽毛を収納した第２の羽毛層が内在され、前記第１の羽毛層と前記第２の羽毛層との間に前記布団又は前記毛布を前記開口部を介して出し入れ自在にする。
この掛け布団カバーによれば、第１の羽毛層と第２の羽毛層との間に布団又は毛布を開口部を介して出し入れ自在に使用でき、つまり、掛け布団カバーに掛け布団の機能（暑さ調整）を付加して、機能性に富んだ掛け布団を提供することができる。
【符号の説明】
【００２５】
Ｃ      布団カバー
１      羽毛層
２      樹脂繊維層
３      布団
【図１】
0003208977.tif 000003
【図２】
0003208977.tif 000004
【図３】
0003208977.tif 000005
【手続補正書】
【提出日】平成28年12月15日(2016.12.15)
【手続補正１】
【補正対象書類名】実用新案登録請求の範囲
【補正対象項目名】全文
【補正方法】変更
【補正の内容】
【実用新案登録請求の範囲】
【請求項１】
布団を収納する布団カバーであって、
この布団カバーは、布団を出し入れする開口部を備え、
前記布団カバーの一方側の略全体に亘って羽毛を収納した羽毛層が内在され、
前記布団カバーの他方側の略全体に亘って樹脂繊維を編み上げた三次元構造体を収納した樹脂繊維層が内在され、
前記羽毛層と前記樹脂繊維層との間に前記布団が位置する
ことを特徴とする布団カバー。
【請求項２】
布団を収納する布団カバーであって、
この布団カバーは、布団を出し入れする開口部を備え、
少なくとも、前記布団カバーの一方側の略全体に亘って羽毛を収納した羽毛層が内在され、
前記羽毛層と前記布団が隣接している
ことを特徴とする布団カバー。
【請求項３】
布団を収納する布団カバーであって、
この布団カバーは、布団を出し入れする開口部を備え、
少なくとも、前記布団カバーの一方側の略全体に亘って樹脂繊維を編み上げた三次元構造体を収納した樹脂繊維層が内在され、
前記樹脂繊維層と前記布団が隣接している
ことを特徴とする布団カバー。
【請求項４】
布団は、掛け布団、敷き布団、座布団の内、何れか一つである
ことを特徴とする請求項１〜３のいずれかに記載の布団カバー。
【請求項５】
布団は、最上層の表面に多数の突起を備え、最下層の裏面は平坦面であるウレタンフォームを用いたマットレスであり、
夏場には、体が当接する部位に近い順に、樹脂繊維層、前記突起を上とした前記マットレス、羽毛層、
冬場には、体が当接する部位に近い順に、前記羽毛層、前記突起を上とした前記マットレス、前記樹脂繊維になるように開口部を介して前記マットレスの位置を変える
ことを特徴とする請求項１記載の布団カバー。
【請求項６】
布団又は毛布を収納する掛け布団カバーであって、
この掛け布団カバーは、前記布団又は前記毛布を出し入れする開口部を備え、
前記布団カバーの一方側の略全体に亘って羽毛を収納した第１の羽毛層が内在され、
前記布団カバーの他方側の略全体に亘って羽毛を収納した第２の羽毛層が内在され、
前記第１の羽毛層と前記第２の羽毛層との間に前記布団又は前記毛布を前記開口部を介して出し入れ自在にする
ことを特徴とする掛け布団カバー。